【事件の表示】
　特願２０１３−２４１５５７号「遊技機」拒絶査定不服審判事件〔平成２６年　７月１０日出願公開、特開２０１４−１２８５９４号〕について、次のとおり審決する。
【結　論】
　本件審判の請求は、成り立たない。
【理　由】
第１　手続の経緯
　本願は，平成２２年５月１０日に出願された特願２０１０−１０８４６０号の一部を，平成２５年１１月２２日に新たに特許出願したものであって，平成２６年９月３日付けで拒絶の理由が通知され，同年１１月７日付けで意見書及び手続補正書が提出されたものの，平成２７年６月１日付けで拒絶査定がなされ，これに対して，同年９月４日付けで拒絶査定不服審判の請求がなされるとともに手続補正書が提出されたものである。
第２　本願発明
　平成２７年９月４日付け手続補正書は，明細書の【００７９】を補正するものであるから，本願の請求項１〜３に係る発明は，平成２６年１１月７日付け手続補正書により補正された特許請求の範囲の請求項１〜３に記載された事項により特定されるものと認められるところ，その請求項１に係る発明（以下，「本願発明」という。）は次のとおりのものである（Ａ〜Ｈは，当審にて分説し付与した。）。
「【請求項１】
Ａ　所定条件の成立にもとづいて遊技者にとって有利な有利状態に制御する遊技機であって、
Ｂ　前記遊技機への電力供給が停止しても記憶内容を所定期間保持可能な記憶手段と、
Ｃ　操作に応じて操作信号を出力する初期化操作手段と、
Ｄ　電力供給が開始されたときに、前記初期化操作手段からの前記操作信号が入力されたことにもとづいて、前記記憶手段の記憶内容を初期化する初期化処理を実行する初期化処理実行手段と、
Ｅ　エラーが発生しているか否かを判定するエラー判定手段と、
Ｆ　少なくとも、前記初期化処理実行手段によって前記初期化処理が実行されたこと、および前記エラー判定手段によってエラーが発生していると判定されたことを含む信号出力条件が成立したことにもとづいて、セキュリティ信号を出力するセキュリティ信号出力手段と、
Ｇ　前記エラー判定手段によってエラーが発生していると判定されたことにもとづいてエラー報知を実行するエラー報知実行手段とを備え、
Ｈ　前記セキュリティ信号出力手段は、前記初期化処理実行手段によって前記初期化処理が実行されたときと前記エラー判定手段によってエラーが発生していると判定されたときとで、前記遊技機に設けられた共通の出力端子から前記セキュリティ信号を出力する
　ことを特徴とする遊技機。」
第３　刊行物の記載
（１）刊行物１に記載された発明
　原査定の拒絶の理由において提示された，本願の出願遡及日前に頒布された刊行物である特開２００９−６１００３号公報（以下，「刊行物１」という。）には，図面とともに次の事項が記載されている（下線は審決にて付した。以下同様。）
（１−ａ）「【０００９】
　本発明による遊技機は、遊技球を用いて所定の遊技を行うことが可能な遊技機であって、遊技球が進入可能な開放状態と遊技球が進入不可能な閉鎖状態とに変化可能な可変入賞装置（例えば、特別可変入賞球装置２０、可変入賞球装置１５）と、所定の開放条件が成立（例えば、特別図柄の可変表示結果が大当りとなって大当り遊技状態に移行したこと、普通図柄の可変表示結果が当りとなったこと）したときに可変入賞装置を閉鎖状態から開放状態に変化させる可変入賞装置制御手段（例えば、遊技制御用マイクロコンピュータ５６０におけるステップＳ１４７６を実行する部分。遊技制御用マイクロコンピュータ５６０におけるステップＳ４１７１を実行して可変入賞球装置１５を開放状態に制御する部分）と、可変入賞装置に進入した遊技球を検出して入賞検出信号を出力する入賞検出手段（例えば、カウントスイッチ２３、第２始動口スイッチ１４ａ）と、可変入賞装置制御手段によって可変入賞装置が開放状態に制御されていないときに、入賞検出手段が入賞検出信号を出力したことにもとづいて、
異常入賞が発生したと判定する異常入賞判定手段（例えば、遊技制御用マイクロコンピュータ５６０におけるステップＳ２５５〜Ｓ２５９，Ｓ２６３を実行する部分。ステップＳ２６７〜Ｓ２７１，Ｓ２７５を実行する部分）
異常入賞判定手段によって異常入賞が発生したと判定されたこと
にもとづいて、遊技機の外部に設けられている外部装置に所定の異常信号を出力するための外部出力手段（例えば、遊技制御用マイクロコンピュータ５６０におけるステップＳ２６４，Ｓ２７６，２８１，Ｓ２８４，Ｓ２８８，Ｓ２９１，Ｓ１０６９〜Ｓ１０７４，Ｓ１１０２，Ｓ１１０３を実行する部分）
外部出力手段は、異常入賞判定手段によって異常入賞が発生したと判定されたとき
遊技機に設けられた共通の出力端子に所定の異常信号を出力可能とした（例えば、遊技制御用マイクロコンピュータ５６０は、情報端子盤３４の共通のコネクタＣＮ９を用いて異常信号をホールコンピュータに出力する）
・・・
【００１２】
　遊技機は、可変表示の第１実行条件が成立（例えば、第１始動入賞口１３への入賞）した後に第１開始条件が成立（例えば変動中でなく大当り中・小当り中でもないとき）したことにもとづいて各々を識別可能な第１識別情報（例えば第１特別図柄）の可変表示を開始し表示結果を導出表示する第１可変表示手段（例えば、第１特別図柄表示器８ａ）と、可変表示の第２実行条件が成立（例えば、第２始動入賞口１４への入賞）した後に第２開始条件が成立（例えば変動中でなく大当り中・小当り中でもないとき）したことにもとづいて各々を識別可能な第２識別情報（例えば第２特別図柄）の可変表示を開始し表示結果を導出表示する第２可変表示手段（例えば、第２特別図柄表示器８ｂ）とを備え、
第１可変表示手段と第２可変表示手段のいずれかに特定表示結果（例えば大当り図柄）が導出表示されたときに遊技者にとって有利な特定遊技状態（例えば大当り遊技状態）に移行させる遊技機
【００１３】
　遊技機は、遊技の進行を制御し、可変入賞装置制御手段、異常入賞判定手段、異常状態判定手段および外部出力手段を含み、演出用の電気部品（例えば、演出表示装置９、スピーカ２７、ランプ２５，２８ａ，２８ｂ，２８ｃ）を制御させるための演出制御コマンドを出力する遊技制御手段（例えば、遊技制御用マイクロコンピュータ５６０）と、遊技制御手段が出力した演出制御コマンドに応じて演出用の電気部品を制御する演出制御手段（例えば、演出制御用マイクロコンピュータ１００）とを備え、遊技制御手段は、演出制御コマンドを演出制御手段に出力するコマンド出力手段（例えば、遊技制御用マイクロコンピュータ５６０におけるステップＳ２９，Ｓ２１８，Ｓ２１９，Ｓ５７，Ｓ１０２，Ｓ１１２，Ｓ１１４，Ｓ１１５，Ｓ１１７，Ｓ１１８，Ｓ１１９，Ｓ１３１Ｂ，Ｓ１４７１，Ｓ１４８７，Ｓ１５２，Ｓ２６２，Ｓ２７４，Ｓ２８０，Ｓ２８３，Ｓ２８７，Ｓ２９０を実行する部分）を含み、コマンド出力手段は、
異常入賞判定手段によって異常入賞が発生したと判定されたとき
異常入賞が発生したこと
を示す異常報知（例えば、異常入賞報知、始動異常入賞報知、磁気異常報知、振動異常報知、異常開放報知）を実行する異常報知手段（例えば、演出制御用マイクロコンピュータ１００におけるステップＳ８３５Ａ，Ｓ８３５Ｃ，Ｓ８４６，Ｓ８４７Ｂ，Ｓ１９０６〜Ｓ１９３４を実行する部分）
・・・
【発明の効果】
【００１５】
　請求項１に記載された遊技機では、異常入賞判定手段によって異常入賞が発生したと判定されたことまたは異常状態判定手段によって所定の異常状態が発生したと判定されたことにもとづいて、遊技機の外部に設けられている外部装置に所定の異常信号を出力するための外部出力手段を備えるように構成されているので、異常入賞が発生したことおよび遊技機において所定の異常状態が発生したことなど複数の異常が発生したことを示す情報を外部装置に出力することができる。また、外部出力手段が、異常入賞判定手段によって異常入賞が発生したと判定されたときと異常状態判定手段によって所定の異常状態が発生したと判定されたときとで、遊技機に設けられた共通の出力端子から所定の異常信号を出力可能とするように構成されているので、外部装置に情報を出力するための機構の部品数の増加や配線作業の複雑化を防ぐことができる。」
（１−ｂ）「【００７６】
　また、
ＲＡＭ５５は
バックアップＲＡＭである
遊技機に対する電力供給が停止しても、所定期間（バックアップ電源としてのコンデンサが放電してバックアップ電源が電力供給不能になるまで）は、ＲＡＭ５５の一部または全部の内容は保存される
・・・
【００７８】
　さらに、遊技制御用マイクロコンピュータ５６０の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。また、
遊技制御用マイクロコンピュータ５６０の入力ポートには、ＲＡＭの内容をクリアすることを指示するためのクリアスイッチが操作されたことを示すクリア信号が入力される
（１−ｃ）「【０１３４】
　
遊技機に対して電源が投入され電力供給が開始されると
遊技制御用マイクロコンピュータ５６０（具体的には、ＣＰＵ５６）は
ステップＳ１以降のメイン処理を開始する
・・・
【０１３６】
　次いで、
ＣＰＵ５６は、入力ポートを介して入力されるクリアスイッチ（例えば、電源基板に搭載されている。）の出力信号の状態を確認する（ステップＳ６）。その確認においてオンを検出した場合には、ＣＰＵ５６は、通常の初期化処理を実行する（ステップＳ１０〜Ｓ１５。Ｓ４４，Ｓ４５を含む。）
【０１３７】
　クリアスイッチがオンの状態でない場合には、遊技機への電力供給が停止したときにバックアップＲＡＭ領域のデータ保護処理（例えばパリティデータの付加等の電力供給停止時処理）が行われたか否か確認する（ステップＳ７）。そのような保護処理が行われていないことを確認したら、ＣＰＵ５６は初期化処理を実行する。バックアップＲＡＭ領域にバックアップデータがあるか否かは、例えば、電力供給停止時処理においてバックアップＲＡＭ領域に設定されるバックアップフラグの状態によって確認される。
【０１３８】
　電力供給停止時処理が行われたことを確認したら、ＣＰＵ５６は、バックアップＲＡＭ領域のデータチェックを行う（ステップＳ８）。この実施の形態では、データチェックとしてパリティチェックを行う。よって、ステップＳ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。」
（１−ｄ）「【０１４２】
　
初期化処理では、ＣＰＵ５６は、まず、ＲＡＭクリア処理を行う（ステップＳ１０）。
（１−ｅ）「【０７８６】
　また、上記に示した実施の形態において、主基板３１側でリセット信号が入力され初期化処理が実行されてバックアップＲＡＭがクリアされたときから所定期間にも、情報端子盤３４を介して、初期化が行われたことを示す信号を外部出力するようにしてもよい。この場合、
初期化処理が実行されたことにもとづいて
異常入賞
が検出されたときに出力する異常信号と同じ信号を外部出力するようにしてもよい
（１−ｆ）【０１３４】，【０１３６】，【０１４２】，及び，図１２の図示内容によれば，刊行物１に，
ＣＰＵ５６（遊技制御用マイクロコンピュータ５６０）が，遊技機に対して電源が投入され電力供給が開始されてメイン処理が開始された後，クリアスイッチの出力信号（クリア信号）のオンを検出した場合，ＲＡＭ５５（バックアップＲＡＭ）を初期化する通常の初期化処理を実行すること
（１−ｇ）【０００９】には，異常入賞判定手段によって異常入賞が発生したと判定されたことにもとづいて，遊技機の外部に設けられている外部装置に所定の異常信号を出力するための外部出力手段が記載されている。
　また，【０７８６】には，初期化処理が実行されたことにもとづいて，異常入賞が検出されたときに出力する異常信号と同じ信号を外部出力するようにしてもよいと記載されている。ここで，初期化処理としては，【０１３６】に記載の「通常の初期化処理」（以下，「初期化処理Ａ」という。），【０１３７】に記載のデータ保護処理が行われていない場合の「初期化処理」（以下，「初期化処理Ｂ」という。），【０１３８】に記載の「電力供給の停止からの復旧時でない電源投入時に実行される初期化処理」（以下，「初期化処理Ｃ」という。）の３種類の初期化処理が記載されており，【０７８６】に記載された「初期化処理」が，「通常の初期化処理」を指すのか，「初期化処理Ｂ」または「初期化処理Ｃ」を指すのか，若しくは，これらの複数の初期化処理を総じて「初期化処理」と記載しているのか明らかではないが，いずれと解しても，当該初期化処理がバックアップＲＡＭを初期化するものであることは明らかである。
　よって，刊行物１には，
バックアップＲＡＭを初期化する初期化処理が実行されたこと，及び，異常入賞判定手段によって異常入賞が発生したと判定されたことにもとづいて，遊技機の外部に設けられている外部装置に所定の異常信号を出力するための外部出力手段
　上記（１−ａ）〜（１−ｅ）の記載事項，及び，（１−ｆ）〜（１−ｇ）の認定事項によれば，刊行物１には以下の発明（以下，「刊行物１発明」という。）が記載されていると認められる（ａ〜ｈは，本願発明のＡ〜Ｈに対応させて付した。）。
「ａ　第１可変表示手段と第２可変表示手段のいずれかに特定表示結果が導出表示されたときに遊技者にとって有利な特定遊技状態に移行させる遊技機であって（【００１２】），
ｂ　前記遊技機に対する電力供給が停止しても所定期間は一部または全部の内容が保存されるバックアップＲＡＭと（【００７６】），
ｃ　操作されたことを示すクリア信号が遊技制御用マイクロコンピュータ５６０に入力されるクリアスイッチと（【００７８】），
ｄ　遊技機に対して電源が投入され電力供給が開始されてメイン処理が開始された後，クリアスイッチのクリア信号のオンを検出した場合，バックアップＲＡＭを初期化する通常の初期化処理を実行する遊技制御用マイクロコンピュータ５６０と（認定事項（１−ｆ）），
ｅ　異常入賞が発生したと判定する異常入賞判定手段と（【０００９】），
ｆ　バックアップＲＡＭを初期化する初期化処理が実行されたこと，及び，異常入賞判定手段によって異常入賞が発生したと判定されたことにもとづいて，遊技機の外部に設けられている外部装置に所定の異常信号を出力するための外部出力手段と（【０００９】，認定事項（１−ｇ）），
ｇ　異常入賞判定手段によって異常入賞が発生したと判定されたとき，異常入賞が発生したことを示す異常報知を実行する異常報知手段とを備え（【００１３】），
ｈ　外部出力手段は，異常入賞判定手段によって異常入賞が発生したと判定されたとき，遊技機に設けられた共通の出力端子に所定の異常信号を出力可能とした（【０００９】），
　遊技機。」
第４　対比
　本願発明と刊行物１発明とを，分説に従い対比する。
（ａ）刊行物１発明の「第１可変表示手段と第２可変表示手段のいずれかに特定表示結果が導出表示されたとき」は，特定遊技状態に移行させるための条件であるから，本願発明の「所定条件」に相当する。
　よって，刊行物１発明の「第１可変表示手段と第２可変表示手段のいずれかに特定表示結果が導出表示されたときに遊技者にとって有利な特定遊技状態に移行させる遊技機」は，本願発明の「所定条件の成立にもとづいて遊技者にとって有利な有利状態に制御する遊技機」に相当する。
（ｂ）刊行物１発明の「前記遊技機に対する電力供給が停止しても所定期間は一部または全部の内容が保存されるバックアップＲＡＭ」は，本願発明の「前記遊技機への電力供給が停止しても記憶内容を所定期間保持可能な記憶手段」に相当する。
（ｃ）刊行物１発明のクリアスイッチは，それが操作されることにより，クリア信号が遊技制御用マイクロコンピュータ５６０に入力されるのであるから，クリアスイッチの操作によって，クリア信号が出力されることは明らかである。よって，刊行物１発明の「クリア信号」，「クリアスイッチ」は，本願発明の「操作信号」，「初期化操作手段」にそれぞれ相当する。
　よって，刊行物１発明の「操作されたことを示すクリア信号が遊技制御用マイクロコンピュータ５６０に入力されるクリアスイッチ」は，本願発明の「操作に応じて操作信号を出力する初期化操作手段」に相当する。
（ｄ）刊行物１発明の「バックアップＲＡＭを初期化する」ことが，本願発明の「記憶手段の記憶内容を初期化する」ことに相当することは明らかである。
　よって，刊行物１発明の「遊技機に対して電源が投入され電力供給が開始されてメイン処理が開始された後，クリアスイッチのクリア信号のオンを検出した場合，バックアップＲＡＭを初期化する通常の初期化処理を実行する遊技制御用マイクロコンピュータ５６０」は，本願発明の「電力供給が開始されたときに、前記初期化操作手段からの前記操作信号が入力されたことにもとづいて、前記記憶手段の記憶内容を初期化する初期化処理を実行する初期化処理実行手段」に相当する。
（ｅ）刊行物１発明の「異常入賞」が，本願発明の「エラー」に相当することは明らかである。
　よって，刊行物１発明の「異常入賞が発生したと判定する異常入賞判定手段」は，本願発明の「エラーが発生しているか否かを判定するエラー判定手段」に相当する。
（ｆ）刊行物１発明は，異常入賞が発生した場合に，外部装置に異常信号を出力することから，刊行物１発明の「異常信号」は，本願発明の「セキュリティ信号」に相当する。
　また，本願発明における「初期化処理」は，本願発明の構成Ｄによれば，「記憶手段の記憶内容を初期化する」処理であるから，刊行物１発明の「バックアップＲＡＭを初期化する初期化処理」が，本願発明の「初期化処理」に相当することは明らかである。
　よって，刊行物１発明の「バックアップＲＡＭを初期化する初期化処理が実行されてバックアップＲＡＭがクリアされたこと，及び，異常入賞判定手段によって異常入賞が発生したと判定されたことにもとづいて、遊技機の外部に設けられている外部装置に所定の異常信号を出力するための外部出力手段」と，本願発明の「少なくとも、前記初期化処理実行手段によって前記初期化処理が実行されたこと、および前記エラー判定手段によってエラーが発生していると判定されたことを含む信号出力条件が成立したことにもとづいて、セキュリティ信号を出力するセキュリティ信号出力手段」とは，「少なくとも」，「前記初期化処理が実行されたこと、および前記エラー判定手段によってエラーが発生していると判定されたことを含む信号出力条件が成立したことにもとづいて、セキュリティ信号を出力するセキュリティ信号出力手段」という点で共通する。
（ｇ）刊行物１発明の「前記エラー判定手段によってエラーが発生していると判定されたことにもとづいてエラー報知を実行するエラー報知実行手段」は，本願発明の「異常入賞判定手段によって異常入賞が発生したと判定されたとき，異常入賞が発生したことを示す異常報知を実行する異常報知手段」に相当する。
（ｈ）上記（ｅ）及び（ｆ）によれば，刊行物１発明の「異常入賞」、「異常信号」が，本願発明の「エラー」，「セキュリティ信号」に相当する。
　よって，刊行物１発明の「外部出力手段は、異常入賞判定手段によって異常入賞が発生したと判定されたとき、遊技機に設けられた共通の出力端子に所定の異常信号を出力可能」とする構成と，本願発明の「前記セキュリティ信号出力手段は、前記初期化処理実行手段によって前記初期化処理が実行されたときと前記エラー判定手段によってエラーが発生していると判定されたときとで、前記遊技機に設けられた共通の出力端子から前記セキュリティ信号を出力する」との構成は，「前記セキュリティ信号出力手段は」，「前記エラー判定手段によってエラーが発生していると判定されたとき」，「前記遊技機に設けられた共通の出力端子から前記セキュリティ信号を出力する」点で共通する。
　これより，本願発明と刊行物１発明は，
「Ａ　所定条件の成立にもとづいて遊技者にとって有利な有利状態に制御する遊技機であって、
Ｂ　前記遊技機への電力供給が停止しても記憶内容を所定期間保持可能な記憶手段と、
Ｃ　操作に応じて操作信号を出力する初期化操作手段と、
Ｄ　電力供給が開始されたときに、前記初期化操作手段からの前記操作信号が入力されたことにもとづいて、前記記憶手段の記憶内容を初期化する初期化処理を実行する初期化処理実行手段と、
Ｅ　エラーが発生しているか否かを判定するエラー判定手段と、
Ｆ’少なくとも、前記初期化処理が実行されたこと、および前記エラー判定手段によってエラーが発生していると判定されたことを含む信号出力条件が成立したことにもとづいて、セキュリティ信号を出力するセキュリティ信号出力手段と、
Ｇ　前記エラー判定手段によってエラーが発生していると判定されたことにもとづいてエラー報知を実行するエラー報知実行手段とを備え、
Ｈ’前記セキュリティ信号出力手段は、前記エラー判定手段によってエラーが発生していると判定されたとき、前記遊技機に設けられた共通の出力端子から前記セキュリティ信号を出力する
　遊技機。」
の点で一致し，次の点で相違する。
（相違点１）
　初期化処理が実行されたことにもとづいて，セキュリティ信号を出力するセキュリティ信号出力手段に関して，当該初期化処理が，本願発明では，「電力供給が開始されたときに，前記初期化操作手段からの前記操作信号が入力されたこと」にもとづくものであるのに対し，刊行物１発明は，初期化操作手段の操作にもとづくものであるか否か不明である点。
（相違点２）
　本願発明は，電力供給が開始されたときに，前記初期化操作手段からの前記操作信号が入力されたことにもとづいて，前記初期化処理が実行されたときに出力されるセキュリティ信号を，前記エラー判定手段によってエラーが発生していると判定されたときと「共通の出力端子」から出力するのに対し，刊行物１発明は，初期化処理が実行されたときに出力されるセキュリティ信号を，前記エラー判定手段によってエラーが発生していると判定されたときと「共通の出力端子」から出力するか否か不明である点。
第５　判断
１．審判請求人の主張の概要
　審判請求人は審判請求書にて，以下の通り主張する。
（１）初期化処理が実行されたときに，異常信号と同じ信号を外部出力するように構成される場合には，外部の例えばホールコンピュータは，初期化処理が実行されたのか否か把握することができず，初期化処理を実行させて所定の乱数の初期値をねらう行為が行われたのか否か認識することはできないから，刊行物１の【０７８６】には，「初期化処理が実行されたことにもとづいて，異常信号とは異なる信号を外部出力する」ことのみが開示され，「初期化処理が実行されたことにもとづいて，異常信号と同じ信号を外部出力する」ことは，実質的に，排除されていると解するべきである（主張Ａ）。
（２）初期化処理が実行されたことにもとづく信号は、遊技店員等がクリアスイッチを押下したことにより出力される信号であり異常を知らせることを主目的とした信号ではなく、異常信号とは性質が異なるものであるから，刊行物１の記載にもとづいて、初期化処理が実行されたことにもとづく信号と異常信号とを共通の出力端子から出力することを想到することは容易であるとはいえない（主張Ｂ）。 
（３）本願発明では、「初期化処理が実行されたときとエラーが発生していると判定されたときとで、遊技機に設けられた共通の出力端子からセキュリティ信号を出力する」ことによって、使用される頻度が低い信号を出力するための端子を、エラーが発生していると判定されたときに出力される信号の端子としても使用することによって、信号出力に関する無駄を省き、情報を出力するための機構の部品数の増加や配線作業の複雑化を防ぐことができるという特有の効果を得ることができる（主張Ｃ）。
２．当審の判断
　相違点１，２は関連しているので，まとめて検討する。
（１）刊行物１の【０７８６】には，初期化処理が実行されたことにもとづいて，異常入賞や始動異常入賞，磁気異常，振動異常，異常開放が検出されたときに出力する異常信号と同じ信号を外部出力するようにしてもよいと記載されている。ここで，異常入賞や始動異常入賞，磁気異常，振動異常，異常開放はいずれも遊技機に対する不正の可能性がある事象であるから，異常信号は，その種類を問わず，不正が行われた可能性があることを示す信号であるといえる。そして，【０７８６】に記載されているように，リセット信号を不正に入力して初期化処理を実行させることも不正の一種であり，また，特に他の種類の不正と区別する必要性もない。
　よって，刊行物１発明は，バックアップＲＡＭを初期化する初期化処理が実行されたこと，及び，異常入賞が発生したと判定されたことにもとづいて，同じ異常信号を出力するものであるといえる。
（２）また，刊行物１の【０７８６】には，不正に初期化処理を実行させることで乱数の初期値をねらう不正行為を防止するために，バックアップＲＡＭを初期化する初期化処理が実行されたことにもとづいて異常信号を出力すると記載されており，【０１４２】には，図１２のステップＳ１０におけるＲＡＭクリア処理により，大当たり判定用乱数を生成するためのカウンタのカウント値のデータを初期化すると記載されている。これより，乱数の初期値をねらう不正行為を防止するためには，ステップＳ１０におけるＲＡＭクリア処理による乱数の初期化されたときに異常信号を出力する必要があることは明らかである。
　そして，ステップＳ１０におけるＲＡＭクリア処理は，上記第３（１）（１−ｇ）に示した初期化処理Ａ〜Ｃのいずれにおいても実行される処理である。
　したがって，刊行物１発明における「クリアスイッチのオンが検出された場合」に実行される「初期化処理Ａ」についても，ステップＳ１０におけるＲＡＭクリア処理にて，異常入賞が発生したと判定されたことにもとづいて出力される「異常信号」（本願発明の「セキュリティ信号」に相当する。）を出力するものとし，上記相違点１に係る本件発明の構成とすることは，当業者が容易になし得たものである。
　また，刊行物１の【００１５】にあるように，刊行物１発明は，異常入賞の発生と異常状態の発生によって共通の端子から異常信号を出力可能とするよう構成することで，外部装置に情報を出力するための機構の部品数の増加や配線作業の複雑化を防ぐものであるから，「初期化処理Ａ」が実行された場合に出力される異常信号と同じ信号をエラーが発生していると判定されたときと「共通の端子」から出力し，上記相違点２に係る本件発明の構成とすることは，当業者が容易になし得たものである。
　よって，刊行物１発明に基づいて，相違点１及び２に係る本願発明の構成とすることは，当業者であれば容易に想到し得たものである。
（３）また，相違点１及び２に係る本願発明の構成は，刊行物１発明，及び，周知技術に基づけば，当業者が容易に想到することが，より明らかであるので，以下において説明する。
　遊技機の技術分野において，電力供給が開始されたときに，初期化操作手段の操作により，記憶手段の記憶内容が初期化されたことを示す信号と，エラーが発生していることを示す信号を，同じ信号とすることは，本願の出願遡及日前における周知技術である。（特開２００７−１４３８８３号公報の段落【００２９】，【００３６】，【００４３】〜【００４６】，【００６３】〜【００６８】には，ＲＡＭクリアスイッチを操作しながら電源を投入し，ＲＡＭクリアをしたことを示す通知である「報知レベル０」と，遊技機の異常及び不正行為を示す通知である「報知レベル１」〜「報知レベル３」について，「報知レベル０」と「報知レベル１」を合わせて報知レベル１の異常情報として，主制御基板３００からホールコンピュータ１０に出力すること，及び，「報知レベル０」〜「報知レベル３」の異常情報を１本の通信線により出力することが記載されている。また，特開２００３−９２４号公報の段落【００２０】〜【００２２】，【００２５】，【００２６】，【００３２】には，リセットスイッチ２１を押下してパチンコ機Ｐをリセットして，主制御基板Ｃを含む各制御基板が初期化されたとき，及び，電源の投入により駆動電力の供給が開始されることで，各制御基板のリセット回路から出力されるリセット信号により，主制御基板Ｃを含む各制御基板が初期化されたときに，主制御基板ＣからホールコンピュータＨＣに「リセット実行信号」を出力すること，及び，当該リセット実行信号を予め用意されている「エラー情報の信号」で代替してもよいことが記載されている。）
　これより，刊行物１発明において，電力供給が開始されたときの初期化操作手段の操作により記憶手段の記憶内容が初期化されたことを示す信号についても，上記周知技術を参照し，同じく初期化処理が実行されたことを示すバックアップＲＡＭを初期化する初期化処理が実行されたことを示す信号と同様に，異常入賞が発生したと判定されたことにもとづいて出力される「異常信号」（本願発明の「セキュリティ信号」に相当する。）を出力するものとし，上記相違点１に係る本願発明の構成とすることは，当業者が容易に想到し得たものである。
　そして，この場合においても，外部装置に情報を出力するための機構の部品数の増加や配線作業の複雑化を防ぐという刊行物１発明の課題を考慮して，電力供給が開始されたときの初期化操作手段の操作により記憶手段の記憶内容が初期化されたことを示す信号についても，上記周知技術を参照し，同じく初期化処理が実行されたことを示すバックアップＲＡＭを初期化する初期化処理を実行されたことにもとづく異常信号と同様に，異常入賞等の発生時と同じ，共通の出力端子から出力するものとし，上記相違点２に係る本願発明の構成とすることは，当業者が容易に想到し得たものである。
　よって，刊行物１発明，及び，上記周知技術に基づいて，相違点１及び２に係る本願発明の構成とすることは，当業者であれば容易に想到し得たものである。
３．審判請求人の主張について
（１）主張Ａについて
　上記２．（１）に示したとおり，刊行物１には，バックアップＲＡＭを初期化する初期化処理を実行されたこと，及び，異常入賞が発生したと判定されたことにもとづいて，同じ異常信号を出力することが記載されているといえ，審判請求人が主張するように，「初期化処理が実行されたことにもとづいて，異常信号と同じ信号を外部出力する」ことが，実質的に，排除されていると解することはできない。
　したがって，審判請求人の主張Ａは採用できない。
（２）主張Ｂについて
　上記２．（２）及び（３）に示したとおり，遊技店員等がクリアスイッチを押下したことにより出力される信号，すなわち，電力供給が開始されたときに，初期化操作手段の操作により，記憶手段の記憶内容が初期化されたことを示す信号と，エラーが発生していることを示す信号を，同じ信号とすることは刊行物１発明，または，刊行物１発明及び周知技術から容易に想到し得たものである。
　したがって，審判請求人の主張Ｂは採用できない。
（３）主張Ｃについて
　上記２．（２）及び（３）に示したとおり，刊行物１発明は，異常入賞の発生と異常状態の発生によって共通の出力端子から異常信号を出力可能とするよう構成することで，外部装置に情報を出力するための機構の部品数の増加や配線作業の複雑化を防ぐものである。
　したがって，電力供給が開始されたときに，初期化操作手段の操作により，記憶手段の記憶内容が初期化されたことを示す信号についても，異常入賞等の発生時と同じ，共通の出力端子から出力するものとし，外部装置に情報を出力するための機構の部品数の増加や配線作業の複雑化を防ぐことは，刊行物１発明，または，刊行物１発明及び周知技術から当然導かれる効果であるから，審判請求人が主張する本願発明の効果は，刊行物１発明，または，刊行物１発明及び周知技術から予測される範囲内のものに過ぎず，格別なものではない。
　よって，審判請求人の主張Ｃは採用できない。
４．小括
　よって，本願発明は，刊行物１発明に基づいて，当業者が容易に想到し得たものである。
第５　まとめ
　以上のとおりであるから，本願発明は，特許法第２９条第２項の規定により特許を受けることができない。したがって，その余の請求項については検討するまでもなく，本願は拒絶されるべきものである。
　よって，結論のとおり審決する。